(57)【要約】【課題】本発明は平衡伝送用ケーブルコネクタに関し、平衡伝送用ケーブルの種類に対応してシールドカバー組立体を簡単に構成することを課題とする。【解決手段】第１の平衡伝送用ケーブルのシールドカバー組立体１１０は、第１のカバー部材４０、第１の本体部材５０、第２のカバー部材６０、第２の本体部材７０とから選択した第１のカバー部材４０及び第１の本体部材５０と、第１のケーブル固定部材８０と第２のケーブル固定部材９０とから選択した第１のケーブル固定部材８０とを組み合わせることによって構成される。【選択図】　　　　図８
2004022413.tif 000002
【特許請求の範囲】
【請求項１】
平衡伝送用ケーブルの端側に中継部分を囲むシールドカバー組立体を有する構成である平衡伝送用ケーブルコネクタにおいて、
上記シールドカバー組立体は、
平衡伝送用ケーブルが通る開口を有するケーブル固定部材と、
該ケーブル固定部材の一部に対応する切欠部を有する本体部材と、
該ケーブル固定部材の一部に対応する切欠部を有するカバー部材とよりなり、
平衡伝送用ケーブルの種類に対応して選択したケーブル固定部材、本体部材、カバー部材を、該ケーブル固定部材が本体部材の切欠部及びカバー部材の切欠部に嵌合するようにして、カバー部材が本体部材に結合されてなる構成としたことを特徴とする平衡伝送用ケーブルコネクタ。
【請求項２】
請求項１記載の平衡伝送用ケーブルコネクタにおいて、
上記ケーブル固定部材は、平衡伝送用ケーブルが通る開口を有する背面板部と、該背面板部の一側より迫り出した第１の板部と、該背面板部の反対側より迫り出した第２の板部とを有する構成であり、
上記本体部材は、該ケーブル固定部材の第１の板部に対応する形状の第１の切欠部を有する構成であり、
上記カバー部材は、該ケーブル固定部材の第２の板部に対応する形状の第２の切欠部を有する構成であり、
上記ケーブル固定部材を挟むようにして上記カバー部材が上記本体部材に結合されて、上記ケーブル固定部材の第１の板部が本体部材の第１の切欠部に嵌合し、且つ、上記ケーブル固定部材の第１の板部がカバー部材の第２の切欠部に嵌合した構成としたことを特徴とする平衡伝送用ケーブルコネクタ。
【請求項３】
請求項１記載の平衡伝送用ケーブルコネクタにおいて、
上記ケーブル固定部材は、平衡伝送用ケーブルが通る開口を有する背面板部と、該背面板部の一側より迫り出した第１の板部と、該背面板部の反対側より迫り出した第２の板部と、該第１の板部の縁に沿って張り出ている第１のフランジ部と、該第２の板部の縁に沿って張り出ている第２のフランジ部とを有する構成であり、
上記本体部材は、該ケーブル固定部材の第１の板部に対応する形状の第１の切欠部と、上記第１のフランジ部の端を係止する第１の壁部とを有する構成であり、
上記カバー部材は、該ケーブル固定部材の第２の板部に対応する形状の第２の切欠部と、上記第２のフランジ部の端を係止する第２の壁部とを有する構成であり、
上記ケーブル固定部材を挟むようにして上記カバー部材が上記本体部材に結合されて、上記ケーブル固定部材の第１の板部が本体部材の第１の切欠部に嵌合し、第１のフランジ部が本体部材の内面に密着し、第１のフランジ部の端が本体部材の第１の壁部によって係止され、且つ、上記ケーブル固定部材の第１の板部がカバー部材の第２の切欠部に嵌合し、第２のフランジ部がカバー部材の内面に密着し、第２のフランジ部の端がカバー部材の第２の壁部によって係止された構成としたことを特徴とする平衡伝送用ケーブルコネクタ。
【請求項４】
請求項１記載の平衡伝送用コネクタにおいて、
上記中継部分は、
複数の基板を有し、
上記の各基板は一側に信号線及びドレイン線が半田付けしてあり、反対側に信号端子及びグランド端子が半田付けしてある構成であり、
該信号端子及びグランド端子が、絶縁体ブロックの孔に挿入してある構成としたことを特徴とする平衡伝送用ケーブルコネクタ。
【発明の詳細な説明】
【０００１】
【発明の属する技術分野】
本発明は平衡伝送用ケーブルコネクタ関する。
【０００２】
平衡伝送用ケーブルコネクタは、多数本の電線を有するケーブルの端に、ケーブルの端から引き出されている多数本の電線及び各電線が接続してあるプラグを覆うように、シールドカバー組立体が設けてある構成である。
【０００３】
現在、平衡伝送用ケーブルコネクタに使用されるケーブルには、その直径（太さ）及び電線の本数等を違えて数種類が存在している。シールドカバー組立体は、使用するケーブルに対する対応性が良い構造であることが望ましい。
【０００４】
【従来の技術】
図１及び図２は、本出願人が先に特願２００１−２４９１２５、発明の名称「平衡伝送用コネクタ」で出願した平衡伝送用ケーブルコネクタ１０を示す。Ｘ１−Ｘ２はケーブルコネクタ１０の幅方向、Ｙ１−Ｙ２はケーブルコネクタ１０の長手方向、Ｚ１−Ｚ２はケーブルコネクタ１０の高さ方向である。第１の平衡伝送用ケーブル１１−１は直径がｄ１であり、ケーブルコネクタ１０の幅はｗ１である。第１のケーブル１１−１は、Ｎ１本の電線１２−１を有する。第１のケーブル１１の端から複数本の電線１２−１が引き出されており、各電線１２−１が中継基板１３に接続してあり、中継基板１３の先端側に、絶縁体ブロックに端子部材が組み込んである構成であるプラグ本体１４が設けてあり、第１のシールドハーフカバー２１と第２のシールドハーフカバー２５とよりなるシールドカバー組立体３０が、ケーブル１１の端の略六角形の輪状のケーブル止め具１５、ケーブル１１−１の端から引き出されている複数本の電線１２−１、中継基板１３、及びプラグ本体１４を覆っている構造である。
【０００５】
シールドカバー組立体３０は、図３（Ａ）に示す第１のシールドハーフカバー２１と第２のシールドハーフカバー２５とが上下に組合わされて止めねじ３１によって固定してある構造であり、第１のシールドハーフカバー２１はＹ２側にプラグ本体１４に対応する枠部２２を有する。第１及び第２のシールドハーフカバー２１，２５は夫々Ｙ１側に、ケーブル１１に対応した半円形状の凹部２３，２６及ケーブル止め具１５に対応した半円形状のケーブル止め具用凹部２４，２７が形成してある。凹部２３，２６が組合わされて第１のケーブル１１−１が通る開口を形成する。ケーブル止め具１５は凹部２４，２７に嵌合してあり、ケーブル１１に作用する引っ張り力を受け止める。
【０００６】
【発明が解決しようとする課題】
平衡伝送用ケーブルには、その直径（太さ）及び電線の本数等を相違して数種類が存在している。図５は種々の平衡伝送用ケーブルを示す。図５（Ａ）は第２の平衡伝送用ケーブル１１−２を示す。直径ｄ２は第１のケーブル１１の直径ｄ１に比べて細く、電線１２−２の本数はＮ２であり、第１のケーブル１１−１の電線１２−１の本数Ｎ１に比べて少ない。図５（Ｂ）は第３の平衡伝送用ケーブル１１−３を示す。直径はｄ１であり、第１のケーブル１１の直径ｄ１と同じであり、電線１２−３の本数はＮ２であり、第１のケーブル１１−１の電線１２−１の本数Ｎ１に比べて少ない。図５（Ｃ）は第４の平衡伝送用ケーブル１１−４を示す。直径はｄ２であり、第１のケーブル１１の直径ｄ１に比べて細く、電線１２−４の本数はＮ１であり、第１のケーブル１１−１の電線１２−１の本数Ｎ１と同じである。
【０００７】
電線の本数が電線の本数が少なくなると、プラグ本体１４のＸ方向の長さが短くなってサイズが小さくなる。ケーブルの直径が細くなると、凹部２３，２６を小さくする必要があり、また、ケーブル止め具１５の直径が短くなるので、これに伴もなって、凹部２４，２７も小さくする必要がある。
【０００８】
上記の平衡伝送用ケーブルコネクタ１０においては、シールドカバー組立体３０−１が第１のシールドハーフカバー２１−１と第２のシールドハーフカバー２５−１とが上下に組合わされてなる構成であり、第１及び第２のシールドハーフカバー２１−１，２５−１は夫々ケーブル止め具用凹部２３，２６を一体的に有している構成であるため、ケーブルの種類毎に、第１のシールドハーフカバーと第２のシールドハーフカバーとを用意しておく必要がある。
【０００９】
図５（Ａ）の第２のケーブル１１−２に対応するには、図３（Ｂ）に示す寸法形状の第１のシールドハーフカバー２１−２と第２のシールドハーフカバー２５−２とを準備しておく必要がある。第１、第２のシールドハーフカバー２１−２、２５−２とが組合わされて、シールドカバー組立体３０−２となる。
【００１０】
図５（Ｂ）の第３のケーブル１１−３に対応するには、図４（Ａ）に示す寸法形状の第１のシールドハーフカバー２１−３と第２のシールドハーフカバー２５−３とを準備しておく必要がある。第１、第２のシールドハーフカバー２１−３、２５−３とが組合わされて、シールドカバー組立体３０−３となる。
【００１１】
図５（Ｃ）の第４のケーブル１１−４に対応するには、図４（Ｂ）に示す寸法形状の第１のシールドハーフカバー２１−４と第２のシールドハーフカバー２５−４とを準備しておく必要がある。第１、第２のシールドハーフカバー２１−４、２５−４とが組合わされて、シールドカバー組立体３０−４となる。
【００１２】
よって、使用するケーブル毎に、第１のシールドハーフカバーと第２のシールドハーフカバーとを設計して、第１のシールドハーフカバーを成形する成形金型と第２のシールドハーフカバーを成形する成形金型とを製作することが必要となり、製作する成形金型の数が増える。上記の例では、成形金型の数は８つである。また、第１及び第２のシールドハーフカバーは共にサイズが大きく、よって、成形金型はサイズが大きくなって、製造コストは高い。
【００１３】
このため、平衡伝送用ケーブルコネクタの製造コストが高くなってしまうという問題があった。また、納期も長くなってしまうという問題があった。
【００１４】
そこで、本発明は上記課題を解決した平衡伝送用ケーブルコネクタを提供することを目的とする。
【００１５】
【課題を解決するための手段】
請求項１の発明は、平衡伝送用ケーブルの端側に中継部分を囲むシールドカバー組立体を有する構成である平衡伝送用ケーブルコネクタにおいて、
上記シールドカバー組立体は、
平衡伝送用ケーブルが通る開口を有するケーブル固定部材と、
該ケーブル固定部材の一部に対応する切欠部を有する本体部材と、
該ケーブル固定部材の一部に対応する切欠部を有するカバー部材とよりなり、
平衡伝送用ケーブルの種類に対応して選択したケーブル固定部材、本体部材、カバー部材を、該ケーブル固定部材が本体部材の切欠部及びカバー部材の切欠部に嵌合するようにして、カバー部材が本体部材に結合されてなる構成としたものである。
【００１６】
開口の大きさが異なる複数種類のケーブル固定部材と、寸法形状が異なる複数種類の本体部材と、本体部材に対応した複数種類のカバー部材とを予め準備しておき、使用する平衡伝送用ケーブルの種類に応じてこれらを適宜選択して組み合わせることによってシールドカバー組立体が完成する。よって、平衡伝送用ケーブルの種類毎に、対をなすシールドハーフを設計して製造する場合に比べて、平衡伝送用ケーブルコネクタの製造コストを安価に出来、且つ、納期も短縮出来る。
【００１７】
請求項２の発明は、請求項１記載の平衡伝送用ケーブルコネクタにおいて、
上記ケーブル固定部材は、平衡伝送用ケーブルが通る開口を有する背面板部と、該背面板部の一側より迫り出した第１の板部と、該背面板部の反対側より迫り出した第２の板部とを有する構成であり、
上記本体部材は、該ケーブル固定部材の第１の板部に対応する形状の第１の切欠部を有する構成であり、
上記カバー部材は、該ケーブル固定部材の第２の板部に対応する形状の第２の切欠部を有する構成であり、
上記ケーブル固定部材を挟むようにして上記カバー部材が上記本体部材に結合されて、上記ケーブル固定部材の第１の板部が本体部材の第１の切欠部に嵌合し、且つ、上記ケーブル固定部材の第１の板部がカバー部材の第２の切欠部に嵌合した構成としたものである。
【００１８】
ケーブル固定部材が背面板部とこの両端側から迫り出した第１、第２の板部とを有する構成であるため、本体部材とカバー部材との間に、ケーブル固定部材を組み合わせる構造を合理的に構成することが可能となる。
【００１９】
請求項３の発明は、請求項１記載の平衡伝送用ケーブルコネクタにおいて、
上記ケーブル固定部材は、平衡伝送用ケーブルが通る開口を有する背面板部と、該背面板部の一側より迫り出した第１の板部と、該背面板部の反対側より迫り出した第２の板部と、該第１の板部の縁に沿って張り出ている第１のフランジ部と、該第２の板部の縁に沿って張り出ている第２のフランジ部とを有する構成であり、
上記本体部材は、該ケーブル固定部材の第１の板部に対応する形状の第１の切欠部と、上記第１のフランジ部の端を係止する第１の壁部とを有する構成であり、
上記カバー部材は、該ケーブル固定部材の第２の板部に対応する形状の第２の切欠部と、上記第２のフランジ部の端を係止する第２の壁部とを有する構成であり、
上記ケーブル固定部材を挟むようにして上記カバー部材が上記本体部材に結合されて、上記ケーブル固定部材の第１の板部が本体部材の第１の切欠部に嵌合し、第１のフランジ部が本体部材の内面に密着し、第１のフランジ部の端が本体部材の第１の壁部によって係止され、且つ、上記ケーブル固定部材の第１の板部がカバー部材の第２の切欠部に嵌合し、第２のフランジ部がカバー部材の内面に密着し、第２のフランジ部の端がカバー部材の第２の壁部によって係止された構成としたものである。
【００２０】
第１、第２のフランジ部及び第１、第２の壁部は、ケーブル固定部材が結合されているカバー部材と本体部材とから外れないようにすると共に、密着して隙間を無くして電磁波が外部へ漏洩することを制限するようにする。
【００２１】
請求項４の発明は、請求項１記載の平衡伝送用コネクタにおいて、
上記中継部分は、
複数の基板を有し、
上記の各基板は一側に信号線及びドレイン線が半田付けしてあり、反対側に信号端子及びグランド端子が半田付けしてある構成であり、
該信号端子及びグランド端子が、絶縁体ブロックの孔に挿入してある構成としたものである。
【００２２】
一つの基板を使用した構造に比べて、半田付けのピッチが広くなって、半田付けの作業が容易となる。
【００２３】
【発明の実施の形態】
説明の便宜上、シールドカバー組立体を構成する部品について説明する。図６は、シールドカバー組立体を構成する部品を示す。シールドカバー組立体を構成する部品は、（Ａ）に示す第１のカバー部材４０、（Ｂ）に示す第１の本体部材５０、（Ｃ）に示す第２のカバー部材６０、（Ｄ）に示す第２の本体部材７０、（Ｅ）に示す第１のケーブル固定部材８０、（Ｆ）に示す第２のケーブル固定部材９０よりなる。
【００２４】
第１のカバー部材４０は、大略、前記の第２のシールドハーフカバー２５−１のＹ１側を切除してＵ字形状の第２の切欠部４１を設けた構成である。第２のカバー部材６０は、大略、前記の第２のシールドハーフカバー２５−２のＹ１側を切除してＵ字形状の第２の切欠部６１を設けた構成である。カバー部材４０は、Ｙ１側にＸ方向に延在する第２の壁部４２を有する。カバー部材６０は、Ｙ１側にＸ方向に延在する第２の壁部６２を有する。
【００２５】
第１の本体部材５０は、大略、前記の第１のシールドハーフカバー２１−１のＹ１側を切除してＵ字形状の第１の切欠部５１を設けた構成である。第２の本体部材７０、大略、前記の第１のシールドハーフカバー２１−２のＹ１側を切除してＵ字形状の第１の切欠部７１を設けた構成である。本体部材５０はＹ２側に枠部５２を有し、本体部材７０はＹ２側に枠部７２を有する。本体部材５０は、Ｙ１側にＸ方向に延在する第１の壁部５３を有する。本体部材７０は、Ｙ１側にＸ方向に延在する第１の壁部７３を有する。
【００２６】
カバー部材４０と本体部材５０とは対をなし、共に幅ｗ１を有する。カバー部材６０と本体部材７０とは対をなし、共に幅ｗ１より狭い幅ｗ２を有する。
【００２７】
切欠部４１、５１、６１、７１は、共に同じ大きさであり、幅がａであり、奥行きがｂである。また、本体部材５０、６０には、その内面に、切欠部５１、７１に沿って、凹段部５４，７４が形成してある。カバー部材４０、６０にも、凹段部５４，７４に対応する凹段部４３，６３が形成してある
第１のケーブル固定部材８０は、切欠部４１、５１に対応する大きさであり、Ｘ方向から見てＵ字形状を有しており、背面板部８１と、背面板部８１のＺ１側の端よりＹ２方向に迫り出した第２の板部８２と、背面板部８１のＺ２側の端よりＹ２方向に迫り出した第１の板部８３とを有する。背面板部８１には、第１、第３のケーブル１１−１、１１−３の直径ｄ１に対応した直径ｄ１の開口８１ａが形成してある。第２の板部８２は、切欠部４１に対応した形状であり且つＺ１方向に凸状に湾曲している。この第２の板部８２の縁に沿って第２のフランジ部８４が張り出ている。第１の板部８３は、切欠部５１に対応した形状であり且つＺ２方向に凸状に湾曲している。この第１の板部８３の縁に沿って第１のフランジ部８５が張り出ている。
【００２８】
第２のケーブル固定部材９０は、背面板部９１の開口９１ａが第２、第４のケーブル１１−２、１１−４の直径ｄ２に対応した直径ｄ２である以外は、上記の第１のケーブル固定部材８０と同じ寸法形状であり、第２の板部９２、第１のフランジ部９４、第１の板部９３、第２のフランジ部９５を有する。
【００２９】
シールドカバー組立体を構成する部品は、第１、第２のカバー部材４０、６０、第１、第２の本体部材５０、７０、及び第１、第２のケーブル固定部材８０、９０の計６点である。第１、第２のカバー部材４０、６０、第１、第２の本体部材５０、７０、及び第１、第２のケーブル固定部材８０、９０は全てダイキャスト製品である。よって、成形金型の数は６つと少なく、このうち、第１、第２のケーブル固定部材８０、９０を成形する金型のサイズは他のものに比べて小さい。よって、成形金型に要する費用は従来に比べて安価である。
【００３０】
次に本発明の一実施例になる平衡伝送用ケーブルコネクタのシールドカバー組立体について説明する。
【００３１】
シールドカバー組立体は、以下に説明するように、全て、平衡伝送用ケーブルに合わせて、第１、第２のカバー部材４０、６０、第１、第２の本体部材５０、７０、及び第１、第２のケーブル固定部材８０、９０を適宜組み合わせることによって構成される。
【００３２】
図７は第１の平衡伝送用ケーブル１１−１を適用された第１の平衡伝送用ケーブルコネクタ１００を示す。図８は第１の平衡伝送用ケーブルコネクタ１００のシールドカバー組立体１１０を分解して示し、図９はシールドカバー組立体１１０の内部の中継部分１２０の構成を示す。
【００３３】
シールドカバー組立体１１０は、図８に示すように、第１のカバー部材４０と、第１の本体部材５０と、第１のケーブル固定部材８０とよりなり、これらが図７に示すように組合わされた構成である。
【００３４】
第１のケーブル１１−１は、端側の処理を行う前の段階で、第１のケーブル固定部材８０の開口８１ａを通しておく。ケーブル止め具１５が第１のケーブル固定部材８０の内側に位置しており、第１のケーブル固定部材８０が第１のケーブル１１−１から抜けないようになっている。
【００３５】
第１のケーブル１１−１の端側の中継部分１２０が第１の本体部材５０と第１のカバー部材４０とが組合わされた内部に収まっている。第１の本体部材５０と第１のカバー部材４０とはＹ２側を係止されてＹ１側を止めねじ３１によって固定してあり、Ｙ１側の中央に第１のケーブル固定部材８０を挟んで組合わされている。第１のケーブル固定部材８０は、第２板部８２が切欠部４１に嵌合してこれを塞ぎ、第１の板部８３が切欠部５１に嵌合してこれを塞ぎ、背面板部８１が切欠部４１、５１のＹ１側を塞いでいる。
【００３６】
また、第１のフランジ部８４が凹段部４３に密着し、第２のフランジ部８５が凹段部５４に密着しており、電磁波がシールドカバー組立体１１０の外部へ漏れ出しにくくなっている。
【００３７】
また、第１のフランジ部８４の両端部８４ａが壁部４２の内面に係止されており、且つ第２のフランジ部８５の両端部８５ａが壁部４２の内面に係止されており、第１のケーブル固定部材８０が第１のカバー部材４０及び第１の本体部材５０に対してＹ１方向にずれて外れることがないようになっている。
【００３８】
なお、中継部分１２０は、図９に示すように、第１のケーブル１１−１の端側から延びている電線１２−１が第１の中継小基板１２１と第２の中継小基板１２２とに分けて半田付けされ、且つ、第１、第２の中継小基板１２１、１２２に半田付けし整列してある端子部材が、絶縁ブロック１３０の整列している孔１３１に挿入されている構造である。
【００３９】
第１、第２の中継小基板１２１、１２２は、その上面にＹ方向に延在する配線パターン１２３が等しい長さで形成してあり、且つ、各配線パターン１２３のＹ１方向の端に信号線用パッド１２４、１２５とドレイン線パッド１２６が形成してあり、Ｙ２方向の端に信号端子用パッド１２７、１２８とグランド端子用パッド１２９が形成してある。電線１２−１の端より延びている平衡信号伝送用の対をなす第１、第２の導線１３−１、１３−２が夫々パッド１２４、１２５に半田付けしてあり、ドレイン線１４がパッド１２６に半田付けしてある。パッド１２７、１２８には信号端子Ｓ、Ｓが、パッド１２９にはグランド端子Ｇが半田付けしてある。第２の中継小基板１２２についても同じ構成である。
【００４０】
第１、第２の中継小基板１２１、１２２は、水平の姿勢で、第１の中継小基板１２１がＺ１側、第２の中継小基板１２２がＺ２側である位置関係とされて、信号端子Ｓ、Ｓ及びグランド端子Ｇを絶縁ブロック１３０の整列している孔１３１に挿入されている。信号端子Ｓ、Ｓ及びグランド端子Ｇが絶縁ブロック１３０の整列している孔１３１に挿入されている構成が、プラグ本体１４Ｘを構成する。
【００４１】
この中継部分１２０の構造は、中継の基板が２枚に分かれており、パッド１２４、１２５、１２６の間隔が従来に比べて広くなっており、且つ、第１、第２の導線１３−１、１３−２及びドレイン線１４が基板の同じ面で半田付けしてあるため、半田付け作業が従来に比べて容易である。また、中継の基板が２枚に分かれているため、系列化を図ることが可能である。
【００４２】
図１０は第２のケーブル１１−２に設けられた平衡伝送用ケーブルコネクタ１００Ａを示す。図１１は平衡伝送用ケーブルコネクタ１００Ａのシールドカバー組立体１１０Ａを分解して示す。第２のケーブル１１−２は図５（Ａ）に示すように、直径がｄ２であり第１のケーブル１１の直径ｄ１に比べて細く、電線１２−２の本数はＮ２であり第１のケーブル１１−１の電線１２−１の本数Ｎ１に比べて少ない。よって、通常よりサイズが小さい第１、第２の中継小基板１２１Ａ、１２２Ａ、絶縁ブロック１３０Ａで足りる。これに対応して、シールドカバー組立体１１０Ａは、前記のシールドカバー組立体１１０に比べて、幅が狭くて、第２のケーブル１１−２が通る開口が小さい寸法形状となる。
【００４３】
このシールドカバー組立体１１０Ａは、図１１に示すように、図６（Ｃ）に示す第２のカバー部材６０と、図６（Ｄ）に示す第２の本体部材７０と、図６（Ｆ）に示す第２のケーブル固定部材９０とを図１０に示すように組み合わせることによって構成される。
【００４４】
図１２は第３のケーブル１１−３に設けられた平衡伝送用ケーブルコネクタ１００Ｂを示す。図１３は平衡伝送用ケーブルコネクタ１００Ｂのシールドカバー組立体１１０Ｂを分解して示す。第３のケーブル１１−３は、図５（Ｂ）に示すように、直径がｄ１であり第１のケーブル１１の直径と同じであり、電線１２−２の本数はＮ２であり第１のケーブル１１−１の電線１２−１の本数Ｎ１に比べて少ない。よって、通常よりサイズが小さい第１、第２の中継小基板１２１Ａ、１２２Ａ、絶縁ブロック１３０Ａで足りる。これに対応して、シールドカバー組立体１１０Ｂは、前記のシールドカバー組立体１１０に比べて、幅が狭くて、第３のケーブル１１−３が通る開口は同じ大きさである寸法形状となる。
【００４５】
このシールドカバー組立体１１０Ｂは、図１３に示すように、図６（Ｃ）に示す第２のカバー部材６０と、図６（Ｄ）に示す第２の本体部材７０と、図６（Ｅ）に示す第１のケーブル固定部材８０とを図１２に示すように組み合わせることによって構成される。
【００４６】
図１４は第４のケーブル１１−４に設けられた平衡伝送用ケーブルコネクタ１００Ｃを示す。図１５は平衡伝送用ケーブルコネクタ１００Ｃのシールドカバー組立体１１０Ｃを分解して示す。第４のケーブル１１−４は、図５（Ｃ）に示すように、直径がｄ２であり第１のケーブル１１の直径ｄ１より細く、電線１２−２の本数はＮ１であり第１のケーブル１１−１の電線１２−１の本数Ｎ１と同じである。よって、第１、第２の中継小基板及び絶縁ブロックとしては、通常のサイズの第１、第２の中継小基板１２１、１２２、絶縁ブロック１３０を使用すればよい。これに対応して、シールドカバー組立体１１０は、前記のシールドカバー組立体１１０と比較して、幅は同じであり、第４のケーブル１１−４が通る開口が小さい寸法形状となる。
【００４７】
よって、シールドカバー組立体１１０Ｃは、図１５に示すように、図６（Ａ）に示す第１のカバー部材４０と、図６（Ｂ）に示す第１の本体部材５０と、図６（Ｆ）に示す第２のケーブル固定部材９０とよりなり、これらが図１４に示すように組み合わせてなる構造を有する。
【００４８】
上記より分かるように、図６（Ａ）〜（Ｆ）に示す第１、第２のカバー部材４０、６０、第１、第２の本体部材５０、７０、及び第１、第２のケーブル固定部材８０、９０の計６点の部品を用意しておき、これらを適宜に組み合わせることによって、種類の相違するケーブルに対応することが可能となり、従来のように使用するケーブル毎に、第１のシールドハーフカバーと第２のシールドハーフカバーとを設計して、第１のシールドハーフカバーを成形する成形金型と第２のシールドハーフカバーを成形する成形金型とを製作する仕方に比べて、平衡伝送用ケーブルコネクタの製造コストが安価となる。
【００４９】
図１６は別の例の中継部分１２０Ｂを示す。第１のケーブル１１−１の端側から延びている電線１２−１毎に中継小基板１５０が準備してあり、電線１２−１が中継小基板１５０と半田付けしてあり、各中継小基板１５０の端子部材Ｓ、Ｓ、Ｇが絶縁ブロック１３０Ｂの孔１３１Ｂに挿入され、各中継小基板１５０が垂直の向きでＸ方向に並んでいる構成である。半田付け作業が従来に比べて容易である。
【００５０】
【発明の効果】
以上説明したように、請求項１の発明は、シールドカバー組立体を、平衡伝送用ケーブルの種類に対応して選択したケーブル固定部材、本体部材、カバー部材を、該ケーブル固定部材が本体部材の切欠部及びカバー部材の切欠部に嵌合するようにして、カバー部材が本体部材に結合されてなる構成としたものであるため、開口の大きさが異なる複数種類のケーブル固定部材と、寸法形状が異なる複数種類の本体部材と、本体部材に対応した複数種類のカバー部材とを予め準備しておき、使用する平衡伝送用ケーブルの種類に応じてこれらを適宜選択して組み合わせることによってシールドカバー組立体が完成することになり、よって、平衡伝送用ケーブルの種類毎に対をなすシールドハーフを設計して製造する場合に比べて、平衡伝送用ケーブルコネクタの製造コストを安価に出来、且つ、納期も短縮出来る。
【００５１】
請求項２の発明によれば、ケーブル固定部材が背面板部とこの両端側から迫り出した第１、第２の板部とを有する構成であるため、本体部材とカバー部材との間に、ケーブル固定部材を組み合わせる構造が合理的に構成出来る。
【００５２】
請求項３の発明は、ケーブル固定部材が第１、第２の板部の縁に沿って張り出ている第１、第２のフランジ部とを有する構成であり、本体部材が第１の壁部を有し、カバー部材が第２の壁部を有する構成であるため、第１、第２のフランジ部を係止されてケーブル固定部材が結合されているカバー部材と本体部材とから外れないように出来、且つ、第１、第２のフランジ部が密着して隙間を無くして電磁波が外部へ漏洩することを制限することが出来る。
【００５３】
請求項４の発明は、中継部分は、複数の基板を有する構成であるため、一つの基板を使用した構造に比べて、半田付けのピッチが広くなって、半田付けの作業が容易となり、製造がし易い構造を実現出来る。
【図面の簡単な説明】
【図１】本出願人が先に出願した平衡伝送用ケーブルコネクタの分解斜視図である。
【図２】図１の平衡伝送用ケーブルコネクタの断面図である。
【図３】シールドハーフカバーを示す図である。
【図４】シールドハーフカバーを示す図である。
【図５】種々の平衡伝送用ケーブルを示す図である。
【図６】種々の平衡伝送用ケーブルに対応するシールドカバー組立体を構成する部品を示す図である。
【図７】本発明の一実施例になる第１の平衡伝送用ケーブルコネクタの断面図である。
【図８】図７中のシールドカバー組立体を分解して示す斜視図である。
【図９】図７中の中継部分を分解して示す斜視図である。
【図１０】第２の平衡伝送用ケーブルコネクタの断面図である。
【図１１】図１０中のシールドカバー組立体を分解して示す斜視図である。
【図１２】第３の平衡伝送用ケーブルコネクタの断面図である。
【図１３】図１２中のシールドカバー組立体を分解して示す斜視図である。
【図１４】第４の平衡伝送用ケーブルコネクタの断面図である。
【図１５】図１４中のシールドカバー組立体を分解して示す斜視図である。
【図１６】別の例の中継部分を分解して示す斜視図である。
【符号の説明】
１１−１〜１１−４　平衡伝送用ケーブル
１２−１〜１２−４　電線
４０　第１のカバー部材
４１，５１，６１，７１　切欠部６１
４２、５３、６２，７３　壁部
４３，５４，６３，７４　凹段部
５０　第１の本体部材
６０　第２のカバー部材
７０　第１の本体部材
８０　第１のケーブル固定部材
８１ａ　開口
８２，８３　板部
８４，８５　フランジ部
９０　第２のケーブル固定部材
９１ａ　開口
９２，９３　板部
９４，９５　フランジ部
１００、１００Ａ、１００Ｂ、１００Ｃ　平衡伝送用ケーブルコネクタ
１１０、１１０Ａ、１１０Ｂ、１１０Ｃ　シールドカバー組立体
１２０、１２０　　　　中継部分
１２１，１２２、１５０　基板
【図１】
2004022413.tif 000003
【図２】
2004022413.tif 000004
【図３】
2004022413.tif 000005
【図４】
2004022413.tif 000006
【図５】
2004022413.tif 000007
【図６】
2004022413.tif 000008
【図７】
2004022413.tif 000009
【図８】
2004022413.tif 000010
【図９】
2004022413.tif 000011
【図１０】
2004022413.tif 000012
【図１１】
2004022413.tif 000013
【図１２】
2004022413.tif 000014
【図１３】
2004022413.tif 000015
【図１４】
2004022413.tif 000016
【図１５】
2004022413.tif 000017
【図１６】
2004022413.tif 000018